(57)【要約】支払情報処理方法が説明される。本方法は、ユーザインターフェースに関する事前設定された操作を検出することと、新しいウィンドウをユーザインターフェース上に表示することであって、新しいウィンドウは１つ以上の支払アプリケーション識別子を含む、当該表示することと、新しいウィンドウ内の支払アプリケーション識別子を選択することと、ユーザインターフェース上に選択された支払アプリケーション識別子に対応する支払情報を表示することとを含み、したがって、ユーザのその時点の操作を中断することなく、支払を行う便利な手段を実施し、ユーザエクスペリエンスを著しく改善する。
2019526088.tif 000002
【特許請求の範囲】
【請求項１】
１つ以上のコンピューティングデバイスによって実施される方法であって、
ユーザインターフェースに関する事前設定された操作を検出することと、
新しいウィンドウを前記ユーザインターフェース上に表示することであって、前記新しいウィンドウは１つ以上の支払アプリケーション識別子を含む、前記表示することと、
前記新しいウィンドウ内の前記１つ以上の支払アプリケーション識別子から、支払アプリケーション識別子の選択を受信することと、
前記ユーザインターフェース上に前記選択された支払アプリケーション識別子に対応する支払情報を表示することと、
を含む、前記方法。
【請求項２】
前記ユーザインターフェース上の前記新しいウィンドウのトリガ位置領域を設定することと、
前記トリガ位置領域上で行われる事前設定されたアクションを検出することと、
前記トリガ位置領域上で行われる前記事前設定されたアクションを検出したことに応答して、前記新しいウィンドウを前記ユーザインターフェースの事前設定された位置に表示することと、
をさらに含む、請求項１に記載の方法。
【請求項３】
前記事前設定されたアクションは、スライド操作、ダブルクリック操作、またはクリック操作のうちの少なくとも１つを含む、請求項２に記載の方法。
【請求項４】
前記ユーザインターフェースがロック解除されたかどうかを検出することをさらに含む、請求項１に記載の方法。
【請求項５】
前記ユーザインターフェースがロック解除されたことを検出したことに応答して、
前記選択された支払アプリケーション識別子が事前承認されたアプリケーション識別子リスト内に存在していることを判定することと、
第１の支払情報を前記選択された支払アプリケーションから獲得することと、
前記第１の支払情報を前記ユーザインターフェース上に表示することであって、前記第１の支払情報は有効な支払情報である、前記表示することと、
をさらに含む、請求項４に記載の方法。
【請求項６】
前記ユーザインターフェースがロック解除されていないことを検出したことに応答して、前記ユーザインターフェース上に前記選択された支払アプリケーション識別子に対応する第２の支払情報を表示することをさらに含み、前記第２の支払情報は無効な支払情報である、請求項４に記載の方法。
【請求項７】
前記新しいウィンドウの識別子を前記支払アプリケーション識別子に対応する前記支払アプリケーションに挿入することをさらに含む、請求項１に記載の方法。
【請求項８】
前記ユーザインターフェース上に構成される前記新しいウィンドウのトリガ位置領域上で事前設定されたアクションを検出したことに応答して、前記新しいウィンドウの前記識別子が前記支払アプリケーション識別子に対応する前記支払アプリケーションに挿入されたかどうかを検出することと、
前記新しいウィンドウの前記識別子が前記支払アプリケーション識別子に対応する前記支払アプリケーションに挿入されたことを検出したことに応答して、前記支払アプリケーション識別子を前記新しいウィンドウに追加することと、
をさらに含む、請求項６に記載の方法。
【請求項９】
ユーザデバイスであって、
１つ以上のプロセッサと、
メモリと、
前記メモリ内に記憶され、前記１つ以上のプロセッサによって実行可能であり、ユーザインターフェースに関する事前設定された操作を検出する、検出モジュールと、
前記メモリ内に記憶され、前記１つ以上のプロセッサによって実行可能であり、新しいウィンドウを前記ユーザインターフェース上に表示する、第１の表示モジュールであって、前記新しいウィンドウは１つ以上の支払アプリケーション識別子を含む、前記第１の表示モジュールと、
前記新しいウィンドウ内の前記１つ以上の支払アプリケーション識別子から、支払アプリケーション識別子を選択するように構成されている選択モジュールと、
前記ユーザインターフェース上に前記選択された支払アプリケーション識別子に対応する支払情報を表示するように構成されている第２の表示モジュールと、
を備える、前記ユーザデバイス。
【請求項１０】
前記新しいウィンドウのトリガ位置領域を前記ユーザインターフェース上に設定するように構成されている設定モジュールをさらに備え、
前記検出モジュールはさらに、前記トリガ位置領域上で行われる事前設定されたアクションを検出し、
前記第１の表示モジュールはさらに、前記検出モジュールが前記トリガ位置領域上で行われる前記事前設定されたアクションを検出した後、前記新しいウィンドウを前記ユーザインターフェースの事前設定された位置に表示する、請求項９に記載のユーザデバイス。
【請求項１１】
前記検出モジュールは、さらに、前記ユーザインターフェースがロック解除されたかどうかを検出し、
前記第２の表示モジュールは、さらに、前記検出モジュールが、前記ユーザインターフェースがロック解除されたことを検出したことに応答して、前記ユーザインターフェース上の前記選択された支払アプリケーション識別子に対応する第１の支払情報を表示し、または、前記検出モジュールが、前記ユーザインターフェースがロックされたことを検出したことに応答して、前記ユーザインターフェース上の前記選択された支払アプリケーション識別子に対応する第２の支払情報を表示し、前記第１の支払情報は有効な支払情報を含み、前記第２の支払情報は無効な支払情報を含む、
請求項９に記載のユーザデバイス。
【請求項１２】
前記検出モジュールが、前記ユーザインターフェースがロック解除されたことを検出したことに応答して、前記選択された支払アプリケーション識別子が事前承認されたアプリケーション識別子リスト内に存在しているかどうかを判定するように構成されている、判定モジュールと、
前記判定モジュールが、前記選択された支払アプリケーション識別子が前記事前承認されたアプリケーション識別子リスト内に存在していることを判定したことに応答して、前記第１の支払情報を前記選択された支払アプリケーションから獲得するように構成されている、獲得モジュールと、
を備える、請求項１１に記載のユーザデバイス。
【請求項１３】
前記新しいウィンドウの識別子を前記支払アプリケーション識別子に対応する前記支払アプリケーションに挿入するように構成されている挿入モジュールをさらに備える、請求項９に記載のユーザデバイス。
【請求項１４】
前記検出モジュールが、前記新しいウィンドウの前記識別子が前記支払アプリケーション識別子に対応する前記支払アプリケーションに挿入されたことを検出したことに応答して、前記支払アプリケーション識別子を前記新しいウィンドウに追加するように構成されている追加モジュールをさらに備える、請求項１３に記載のユーザデバイス。
【請求項１５】
実行可能命令を記憶する１つ以上のコンピュータ可読媒体であって、１つ以上のプロセッサによって実行されるとき、前記１つ以上のプロセッサに、
ユーザインターフェースに関する事前設定された操作を検出することと、
新しいウィンドウを前記ユーザインターフェース上に表示することであって、前記新しいウィンドウは１つ以上の支払アプリケーション識別子を含む、前記表示することと、
前記新しいウィンドウ内の前記１つ以上の支払アプリケーション識別子から、支払アプリケーション識別子の選択を受信することと、
前記ユーザインターフェース上に前記選択された支払アプリケーション識別子に対応する支払情報を表示することと、
を含む動作を行わせる、前記１つ以上のコンピュータ可読媒体。
【請求項１６】
前記動作は、
前記ユーザインターフェース上の前記新しいウィンドウのトリガ位置領域を設定することと、
前記トリガ位置領域上で行われる事前設定されたアクションを検出することと、
前記トリガ位置領域上で行われる前記事前設定されたアクションを検出したことに応答して、前記新しいウィンドウを前記ユーザインターフェースの事前設定された位置に表示することと、
をさらに含む、請求項１５に記載の１つ以上のコンピュータ可読媒体。
【請求項１７】
前記動作は、さらに、前記ユーザインターフェースがロック解除されたかどうかを検出することを含む、請求項１５に記載の１つ以上のコンピュータ可読媒体。
【請求項１８】
前記動作は、さらに、前記ユーザインターフェースがロック解除されたことを検出したことに応答して、
前記選択された支払アプリケーション識別子が事前承認されたアプリケーション識別子リスト内に存在していることを判定することと、
第１の支払情報を前記選択された支払アプリケーションから獲得することと、
前記第１の支払情報を前記ユーザインターフェース上に表示することであって、前記第１の支払情報は有効な支払情報である、前記表示することと、
を含む、請求項１７に記載の１つ以上のコンピュータ可読媒体。
【請求項１９】
前記動作は、さらに、前記ユーザインターフェースがロック解除されていないことを検出したことに応答して、前記ユーザインターフェース上に前記選択された支払アプリケーション識別子に対応する第２の支払情報を表示することを含み、前記第２の支払情報は無効な支払情報である、請求項１７に記載の１つ以上のコンピュータ可読媒体。
【請求項２０】
前記動作は、さらに、
前記ユーザインターフェース上に構成される前記新しいウィンドウのトリガ位置領域上で事前設定されたアクションを検出したことに応答して、前記新しいウィンドウの前記識別子が前記支払アプリケーション識別子に対応する前記支払アプリケーションに挿入されたかどうかを検出することと、
前記新しいウィンドウの前記識別子が前記支払アプリケーション識別子に対応する前記支払アプリケーションに挿入されたことを検出したことに応答して、前記支払アプリケーション識別子を前記新しいウィンドウに追加することと、
を含む、請求項１５に記載の１つ以上のコンピュータ可読媒体。
【発明の詳細な説明】
【技術分野】
【０００１】
関連出願の相互参照
本願は、以下の全体を参照によって本明細書によって組み込まれる「Ｐａｙｍｅｎｔ  Ｉｎｆｏｒｍａｔｉｏｎ  Ｐｒｏｃｅｓｓｉｎｇ  Ｍｅｔｈｏｄ，Ａｐｐａｒａｔｕｓ，  ａｎｄ  Ｕｓｅｒ  Ｄｅｖｉｃｅ」と題された中国特許出願第２０１６１０４５３４６０．９号（２０１６年６月２１日出願）に対する外国優先権を主張する。
【０００２】
本開示は、インターネット支払技術の分野に関し、特に、支払情報処理方法、装置、及びユーザデバイスに関する。
【背景技術】
【０００３】
現在、消費者は、商取引に関する支払いをするとき、支払口座を使用する支払用ＰＯＳ（販売時点管理）端末でカード（例えば、売買業者によって発行されたプリペイドカード、汎用カード等）をスワイプする場合がある。この種類の「カードをスワイプする」従来の支払方法は、消費者が多額の現金を所持するのを避けることを可能にし得るが、消費者は、依然として、カードをスワイプすることによって支払いをするための支払口座を所持する必要がある。これは、商取引に関する支払いをすることに制限を課す。
【０００４】
モバイル通信技術が普及するにつれて、人々は、概して、モバイル通信技術を伴うモバイル端末を所持するようになってきた。マルチメディア機能は、既に、モバイル端末内で標準構成になっている。例えば、多くのモバイル端末は、取引支払機能を有する。しかしながら、モバイル端末の既存の支払機能は、ユーザに、支払機能を有する対応するアプリケーションを見つけることを要求する。ある時点において、ユーザが別のアプリケーションを使用している場合、ユーザは、その時点で使用中のこの他のアプリケーションを閉じ、ユーザデバイスのデスクトップ上に支払機能を有する対応するアプリケーションを見つけ、支払機能を有するアプリケーションの支払ページを開き、対応する支払項目（ＱＲコードまたは音波等）を見つけ、支払いを完了するために、それを売買業者の端末に送信する必要がある。したがって、全体の支払プロセスは、ユーザまたは売買業者の多くの時間を使うだけではなく、ユーザが他のアプリケーションを使用することも中断し、そのため、支払いをすることを不便にする。
【発明の概要】
【０００５】
本概要は、下記の「発明を実施するための形態」にさらに説明される簡略化された形態の概念の選択を紹介するために提供される。本概要は、請求される対象の全ての重要な特徴または本質的特徴を識別することが意図されない、また、請求される対象の範囲を判定する際の補助として単独で使用されることが意図されない。用語「技術」は、例えば、上記の文脈及び本開示の全体にわたる文脈によって容認されるようなデバイス（複数可）、システム（複数可）、方法（複数可）、及び／またはコンピュータ可読命令を指し得る。
【０００６】
したがって、本開示は、支払情報を処理するための方法、装置、及びユーザデバイスを提供し、それらは、ユーザのその時点の操作を中断することなく、便利に支払を完了することができ、したがって、ユーザエクスペリエンスを著しく改善する。
【０００７】
上記の技術的問題を解決するために、本開示は支払情報処理方法を提供し、本方法は、ユーザインターフェースに関する事前設定された操作を検出することと、新しいウィンドウをユーザインターフェース上に表示することであって、新しいウィンドウは１つ以上の支払アプリケーション識別子を含む、当該表示することと、新しいウィンドウ内の支払アプリケーション識別子を選択することと、ユーザインターフェース上に選択された支払アプリケーション識別子に対応する支払情報を表示することとを含む。
【０００８】
実施態様では、本方法は、さらに、新しいウィンドウのトリガ位置領域をユーザインターフェース上に設定することと、事前設定された操作のアクションに従って、トリガ位置領域上で行われる操作のアクションを検出することと、新しいウィンドウをユーザインターフェースの事前設定された位置に表示することとを含み得る。
【０００９】
実施態様では、事前設定された操作のアクションは、スライド操作、ダブルクリック操作、またはクリック操作を含み得る。
【００１０】
実施態様では、本方法は、さらに、ユーザインターフェースがロック解除されたかどうかを検出することと、ロック解除されている場合、ユーザインターフェース上に選択された支払アプリケーション識別子に対応する第１の支払情報を表示すること、または、ロック解除されていない場合、ユーザインターフェース上に選択された支払アプリケーション識別子に対応する第２の支払情報を表示することとを含み得、第１の支払情報は有効な支払情報であり、第２の支払情報は無効な支払情報である。
【００１１】
実施態様では、本方法はさらに、ユーザインターフェースがロック解除状態であることを検出すると、選択された支払アプリケーション識別子に基づいて、選択された支払アプリケーション識別子が事前承認されたアプリケーション識別子リスト内に存在していることを判定したことに応答して、第１の支払情報を、選択された支払アプリケーションから獲得することと、第１の支払情報をユーザインターフェース上に表示することとを含み得る。
【００１２】
実施態様では、本方法は、さらに、新しいウィンドウの識別子を支払アプリケーション識別子に対応する支払アプリケーションに挿入することを含み得る。
【００１３】
実施態様では、本方法は、ユーザインターフェース上に設定される新しいウィンドウのトリガ位置領域に関する事前設定された操作を検出した後に、新しいウィンドウの識別子が支払アプリケーション識別子に対応する支払アプリケーションに挿入されたかどうかを検出することと、挿入されている場合、支払アプリケーション識別子を新しいウィンドウに追加することとを含み得る。
【００１４】
実施態様では、本開示はさらに支払情報処理装置を提供し、本装置は、ユーザインターフェースに関する事前設定された操作を検出するように構成されている検出モジュールと、新しいウィンドウをユーザインターフェース上に表示するように構成されている第１の表示モジュールであって、新しいウィンドウは１つ以上の支払アプリケーション識別子を含む、当該第１の表示モジュールと、新しいウィンドウ内の支払アプリケーション識別子を選択するように構成されている選択モジュールと、ユーザインターフェース上に選択された支払アプリケーション識別子に対応する支払情報を表示するように構成されている第２の表示モジュールとを含む。
【００１５】
実施態様では、本装置は、さらに、ユーザインターフェース上の新しいウィンドウのトリガ位置領域を設定するように構成されている設定モジュールを含み得る。
【００１６】
実施態様では、検出モジュールは、さらに、事前設定された操作のアクションに従って、トリガ位置領域上で行われる操作のアクションを検出し得、第１の表示モジュールは、新しいウィンドウをユーザインターフェースの事前設定された位置に表示し得る。
【００１７】
実施態様では、事前設定された操作のアクションは、スライド操作、ダブルクリック操作、またはクリック操作を含み得る。
【００１８】
実施態様では、検出モジュールは、さらに、ユーザインターフェースがロック解除されたかどうかを検出し得、第２の表示モジュールは、さらに、ユーザインターフェースがロック解除状態であることを検出したことに応答して、ユーザインターフェース上の選択された支払アプリケーション識別子に対応する第１の支払情報を表示し得、または、ユーザインターフェースがロック状態であることを検出したことに応答して、ユーザインターフェース上の選択された支払アプリケーション識別子に対応する第２の支払情報を表示し得、第１の支払情報は有効な支払情報であり、第２の支払情報は無効な支払情報である。
【００１９】
実施態様では、本装置はさらに、ユーザインターフェースがロック解除状態であることを検出すると、選択された支払アプリケーション識別子に基づいて、選択された支払アプリケーション識別子が事前承認されたアプリケーション識別子リスト内に存在しているかどうかを判定するように構成されている判定モジュールと、選択された支払アプリケーション識別子が事前承認されたアプリケーション識別子リスト内に存在していることを判定したことに応答して、第１の支払情報を、選択された支払アプリケーションから獲得するように構成されている獲得モジュールとを含み得る。実施態様では、第２の表示モジュールは、獲得された第１の支払情報をユーザインターフェース上に表示し得る。
【００２０】
実施態様では、本装置は、さらに、新しいウィンドウの識別子を支払アプリケーション識別子に対応する支払アプリケーションに挿入するように構成されている挿入モジュールを含み得る。
【００２１】
実施態様では、検出モジュールは、さらに、ユーザインターフェース上に設定される新しいウィンドウのトリガ位置領域に関する事前設定された操作を検出したことに応答して、新しいウィンドウの識別子が支払アプリケーション識別子に対応する支払アプリケーションに挿入されたかどうかを検出し得る。
【００２２】
実施態様では、本装置は、さらに、新しいウィンドウの識別子が支払アプリケーション識別子に対応する支払アプリケーションに挿入されたことを検出したことに応答して、支払アプリケーション識別子を新しいウィンドウに追加するように構成されている追加モジュールを含み得る。
【００２３】
実施態様では、本開示は、さらに、前述の支払情報処理装置を含み得るユーザデバイスを提供する。
【００２４】
本開示の方法及び装置は、ユーザインターフェースに関する事前設定された操作を検出し、新しいウィンドウをユーザインターフェース上に表示し、新しいウィンドウは１つ以上の支払アプリケーション識別子を含み、新しいウィンドウ内の支払アプリケーション識別子を選択し、ユーザインターフェース上に選択された支払アプリケーション識別子に対応する支払情報を表示する。したがって、ユーザは、支払機能を有する対応するアプリケーションの支払情報を見つけ、及びそれを開く必要はない。ユーザが別のアプリケーションを使用する場合でさえ、ユーザは、その時点で使用されている他のアプリケーションを閉じる必要はない。その代わりに、ユーザは、ユーザデバイスのデスクトップ上で事前設定された操作を行うことによって、支払機能を有する対応するアプリケーションの支払情報を、表示される新しいウィンドウから直接見つけることができ、したがって、支払いを完了する。したがって、全体の支払プロセスは、ユーザまたは売買業者の時間をかなり節約することができる。さらに、支払いは、便利に、ユーザのその時点の操作を中断することなく完了し得、したがって、ユーザエクスペリエンスを著しく改善する。
【００２５】
明らかに、本開示を実施する製品は、同時に、全ての上記の技術的効果を達成する必要はなくてよい。
【００２６】
本明細書に説明される付随の図面は、さらなる理解を提供し、本開示の一部を形成するために使用される。本開示の例示的実施形態及びその説明は、本開示を説明するために使用され、本開示に制限を課することが意図されない。
【図面の簡単な説明】
【００２７】
【図１】本開示の実施形態による、支払情報処理方法のフローチャートである。
【図２】本開示の実施形態による、支払情報処理方法のフローチャートである。
【図３Ａ】本開示の実施形態による、支払情報処理方法のフローチャートである。
【図３Ｂ】本開示の実施形態に採用されるウィジェットインターフェースを起動させるための操作のアクションの概略的相互作用図である。
【図３Ｃ】本開示の実施形態に採用されるウィジェットインターフェースを起動させるための操作のアクションの概略的相互作用図である。
【図３Ｄ】本開示の実施形態に採用されるウィジェットインターフェースを起動させるための操作のアクションの概略的相互作用図である。
【図４】本開示の実施形態による、支払情報処理装置の構造図である。
【図５】本開示の実施形態による、ユーザデバイスの構造図である。
【発明を実施するための形態】
【００２８】
本開示の実施態様は、技術的手段を適用し技術的効果を達成することによって、本開示が技術的な問題の解決策をどのように実施するかについての十分な理解を可能にするために、付随の図面及び例示的実施形態を参照して以下に詳細に説明される。
【００２９】
第１の実施形態
【００３０】
図１は、本開示の実施形態による、支払情報処理方法１００のフローチャートである。図１に示されるように、方法１００は、以下の手順を含み得る。
【００３１】
Ｓ１０２において、ユーザインターフェースに関する事前設定された操作を検出する。
【００３２】
実施態様では、新しいウィンドウのトリガ位置領域がユーザインターフェース（例えば、ユーザデスクトップ）上に設定され得、これにより、ユーザは、事前設定された操作のアクションに従って、トリガ位置領域上での操作のアクションを行い得る。実施態様では、事前設定された操作のアクションは、限定ではないが、例えば、スライド操作、ダブルクリック操作、またはクリック操作を含み得る。
【００３３】
Ｓ１０４において、新しいウィンドウをユーザインターフェース上に表示する。
【００３４】
例えば、新しいウィンドウを表示するための事前設定された位置は、ユーザインターフェース上に設定され得る。事前設定された操作のアクションに従ってトリガ位置領域上で行われる操作のアクションを検出し、新しいウィンドウをユーザインターフェースの事前設定された位置に表示する。実施態様では、新しいウィンドウは、１つ以上の支払アプリケーション識別子を含み得る。
【００３５】
実施態様では、各支払アプリケーション識別子を新しいウィンドウ内に表示するために、新しいウィンドウの識別子は、支払アプリケーション識別子に対応する支払アプリケーションに挿入され得る。ユーザインターフェース上に設定される新しいウィンドウのトリガ位置領域上での事前設定された操作を検出したことに応答して、新しいウィンドウの識別子が支払アプリケーション識別子に対応する支払アプリケーションに挿入されたかどうかについての判定を行う。挿入されている場合、支払アプリケーション識別子を新しいウィンドウに追加する。
【００３６】
Ｓ１０６において、新しいウィンドウ内における支払アプリケーション識別子の選択を検出する。
【００３７】
Ｓ１０８において、ユーザインターフェース上に選択された支払アプリケーション識別子に対応する支払情報を表示する。
【００３８】
実施態様では、支払情報は、限定ではないが、例えば、ＱＲコード情報を含み得る。
【００３９】
本開示の方法は、ユーザインターフェースに関する事前設定された操作を検出し、新しいウィンドウをユーザインターフェース上に表示し、新しいウィンドウは１つ以上の支払アプリケーション識別子を含み、新しいウィンドウ内の支払アプリケーション識別子を選択し、ユーザインターフェース上に選択された支払アプリケーション識別子に対応する支払情報を表示する。したがって、ユーザは、支払機能を有する対応するアプリケーションの支払情報を見つけ、及びそれを開く必要はない。ユーザが別のアプリケーションを使用する場合でさえ、ユーザは、その時点で使用されている他のアプリケーションを閉じる必要はない。その代わりに、ユーザは、ユーザデバイスのデスクトップ上で事前設定された操作を行うことによって、支払機能を有する対応するアプリケーションの支払情報を、表示される新しいウィンドウから直接見つけることができ、したがって、支払いを完了する。したがって、全体の支払プロセスは、ユーザまたは売買業者の時間をかなり節約することができる。さらに、支払いは、便利に、ユーザのその時点の操作を中断することなく完了し得、したがって、ユーザエクスペリエンスを著しく改善する。
【００４０】
実施態様では、新しいウィンドウに対応するプログラムコードは、ユーザデバイスのオペレーティングシステムに挿入され得（すなわち、ユーザデバイスのオペレーティングシステムによってサポートされる）、通知を見逃し新しいウィンドウがブロックされるまたは無効になることを防止する（例えば、いくつかのアンチウイルスソフトウェアは、マルウェアとして新しいウィンドウに対応するプログラムを考慮し、新しいウィンドウを無効にし得る）。
【００４１】
第２の実施形態
【００４２】
図２は、本開示の実施形態による、支払情報処理方法２００のフローチャートである。図２に示されるように、方法２００は、以下の手順を含み得る。
【００４３】
Ｓ２０２において、ユーザインターフェース上の新しいウィンドウのトリガ位置領域を設定する。
【００４４】
Ｓ２０４において、事前設定された操作のアクションに従って、トリガ位置領域上で行われる操作のアクションを検出する。
【００４５】
Ｓ２０６において、挿入される新しいウィンドウ識別子を伴う支払アプリケーションの識別子を検出及び取得する。
【００４６】
Ｓ２０８において、新しいウィンドウに挿入される新しいウィンドウ識別子を伴う支払アプリケーションの識別子を追加する。
【００４７】
Ｓ２１０において、新しいウィンドウをユーザインターフェースの事前設定された位置に表示し、新しいウィンドウは、挿入される新しいウィンドウ識別子を伴う支払アプリケーションの識別子を含む。
【００４８】
Ｓ２１２において、新しいウィンドウ内の支払アプリケーション識別子を選択する。
【００４９】
Ｓ２１４において、ユーザインターフェースがロック解除されたかどうかを検出し、ロック解除されている場合、Ｓ２１６に進み処理を実行し、または、ロック解除されていない場合、Ｓ２１８に進み処理を実行する。
【００５０】
Ｓ２１６において、ユーザインターフェースがロック解除されたことを検出したことに応答して、ユーザインターフェース上に選択された支払アプリケーション識別子に対応する第１の支払情報を表示する。
【００５１】
実施態様では、事前承認されたアプリケーション識別子リストは、さらに、支払セキュリティを確実にするために設定され得る。実施態様では、事前承認されたアプリケーション識別子リストは、セキュリティ認証によって承認された支払アプリケーション識別子を含み得る。ユーザインターフェースがロック解除状態であることを検出したことに応答して、選択された支払アプリケーション識別子に基づいて、選択された支払アプリケーション識別子が事前承認されたアプリケーション識別子リスト内に存在していることについての判定を行う。存在している場合、対応する第１の支払情報を、選択された支払アプリケーションから獲得し、第１の支払情報をユーザインターフェース上に表示する。実施態様では、第１の支払情報は有効な支払情報である。
【００５２】
Ｓ２１８において、ユーザインターフェースがロックされたことを検出したことに応答して、ユーザインターフェース上に選択された支払アプリケーション識別子に対応する第２の支払情報を表示する。
【００５３】
実施態様では、第２の支払情報は無効な支払情報である。支払セキュリティを確実にするために、選択された支払アプリケーション識別子が事前承認されたアプリケーション識別子リスト内に存在しているが、対応する第１の支払情報（すなわち、有効な支払情報）は、ユーザインターフェースがロック解除されていると検出されたため、この時点では、選択された支払アプリケーションから獲得されることができず、有効な支払情報だけをユーザインターフェース上に表示する。
【００５４】
本開示の方法は、ユーザインターフェースに関する事前設定された操作を検出し、新しいウィンドウをユーザインターフェース上に表示し、新しいウィンドウ内の任意の支払アプリケーション識別子を選択し、ユーザインターフェース上に選択された支払アプリケーション識別子に対応する支払情報を表示する。したがって、ユーザは、支払機能を有する対応するアプリケーションの支払情報を見つけ、及びそれを開く必要はない。ユーザが別のアプリケーションを使用する場合でさえ、ユーザは、その時点で使用されている他のアプリケーションを閉じる必要はない。その代わりに、ユーザは、ユーザデバイスのデスクトップ上で事前設定された操作を行うことによって、支払機能を有する対応するアプリケーションの支払情報を、表示される新しいウィンドウから直接見つけることができ、したがって、支払いを完了する。したがって、全体の支払プロセスは、ユーザまたは売買業者の時間をかなり節約することができる。さらに、支払いは、便利に、ユーザのその時点の操作を中断することなく完了し得、したがって、ユーザエクスペリエンスを著しく改善する。
【００５５】
実施態様では、支払アプリケーションは、事前に支払セキュリティを確実にするために、事前承認及び認証され得る。
【００５６】
実施態様では、異なる支払情報は、支払セキュリティを確実にするために、ユーザインターフェースがロック解除状態であるかどうかに従って、ユーザインターフェース上に表示され得る。言い換えれば、ユーザインターフェースがロック解除される場合、有効な支払情報を表示し、ユーザインターフェースがロックされると、無効な支払情報を表示する。
【００５７】
第３の実施形態
【００５８】
本開示の技術的解決法は、例示的実施態様によって以下に詳細に説明される。図３Ａは、本開示の実施形態による、支払情報処理方法３００のフローチャートである。この例示的実施形態では、例として、携帯電話を使用する。ウィジェットインターフェースは新しいウィンドウの例として使用され、ＱＲコードは例証のために支払情報の例として使用される。ウィジェットインターフェースに対応するウィジェットは、ユーザデバイスのオペレーティングシステム内に埋め込まれ、通知を見逃しウィジェットがブロックされることを防止する。図３Ａに示されるように、方法３００は、以下の手順を含み得る。
【００５９】
Ｓ３０２において、ユーザは、携帯電話のデスクトップの上部からスライドダウン操作を行い、ウィジェットインターフェースを開く。
【００６０】
この時点では、ユーザの携帯電話は、スクリーンがロック状態であり得る、または、ロック解除状態であり得る（例えば、ユーザはビデオを見る、オンライン小説を読む、またはオンラインゲームをプレイする）、また、ユーザは、その時点で使用されている別のアプリケーションを閉じることを望まない。ウィジェットインターフェースは、支払アプリケーションの識別子を表示する。支払アプリケーションの識別子は、対応するウィジェットコードが支払アプリケーションに挿入されるときだけ、ウィジェットインターフェース内に表示される。
【００６１】
例として、支払機能（すなわち、Ａｌｉｐａｙ（商標）及びＷｅＣｈａｔ  Ｐａｙ）を有する２つのアプリケーションがユーザの携帯電話に存在し、対応するウィジェットコードがＡｌｉｐａｙ（商標）及びＷｅＣｈａｔの両方に挿入される。したがって、Ａｌｉｐａｙ（商標）及びＷｅＣｈａｔのアプリケーション識別子は、ウィジェットインターフェース内に表示され得る。
【００６２】
Ｓ３０４において、ユーザは、ウィジェットインターフェース内のＡｌｉｐａｙ（商標）のアプリケーション識別子を選択する。
【００６３】
Ｓ３０６において、携帯電話のデスクトップがロック解除状態であるかどうかについての判定を行い、ロック解除状態である場合、Ｓ３０８で処理が行われ、または、ロック解除状態ではない場合、Ｓ３１０で処理が行われる。
【００６４】
実施態様では、携帯電話のオペレーティングシステムのカーネル（ダーウィン等）は、携帯電話のデスクトップがロック解除されたかどうかを監視し得る。
【００６５】
Ｓ３０８において、携帯電話のデスクトップがロック解除された場合、有効なＱＲコードは、携帯電話のデスクトップ上に表示される。
【００６６】
実施態様では、携帯電話のオペレーティングシステムのカーネル（ダーウィン等）が、携帯電話のデスクトップがロック解除されたことを監視するとき、カーネル（ダーウィン等）は、ユーザの支払い用の有効なＱＲコードを携帯電話のオペレーティングシステムのキーチェーンに送信することをＡｌｉｐａｙ（商標）に指示する。携帯電話のオペレーティングシステムのキーチェーンは、事前承認されたアプリケーション識別子リスト（ＡＰＰグループ）に従って、有効なＱＲコードがウィジェットインターフェースに送信され、携帯電話のデスクトップ上に表示されることが可能であるかどうかを検証する。事前承認されたアプリケーション識別子リスト（ＡＰＰグループ）がＡｌｉｐａｙ（商標）のアプリケーション識別子を含む場合、これは、Ａｌｉｐａｙ（商標）が承認及び認証され、ひいては、安全であることを示す。
【００６７】
Ｓ３１０において、携帯電話のデスクトップがロックされた場合、無効なＱＲコードは、携帯電話のデスクトップ上に表示される。
【００６８】
図３Ｂ、図３Ｃ、及び図３Ｄは、本開示の実施形態に採用されるウィジェットインターフェースを起動させるための操作のアクションの概略的相互作用図である。図３Ｂに示されるように、ウィジェットインターフェースのトリガ位置領域は携帯電話のデスクトップの上部に存在し、携帯電話のデスクトップの上部のトリガ位置領域上でスライドダウン操作を行うことによって、ウィジェットインターフェースは開く。図３Ｃは、ウィジェットインターフェースを開いている中間状態である。図３Ｄは、支払い用のＱＲコードがウィジェットインターフェース上に表示される状態の、完全に開いているウィジェットインターフェースを示す。
【００６９】
本開示の方法は、ユーザがその時点で使用されている別のアプリケーションを閉じる必要はなく、また、ユーザが、対応する支払アプリケーションを開き、対応する支払ＱＲコードを見つける必要はない。その代わりに、支払アプリケーション識別子を表示するウィジェットインターフェースは、携帯電話のデスクトップ上のスライドダウン操作によって開き得る。ユーザが支払アプリケーションをウィジェットインターフェースから選択し、携帯電話のデスクトップがロック解除されたとき、有効なＱＲコードは、ウィジェットインターフェースによって携帯電話のデスクトップ上に直接提示される。携帯電話のデスクトップがロックされたとき、無効なＱＲコードは、ウィジェットインターフェースによって携帯電話のデスクトップ上に提示される。これは、支払の利便性を著しく改善し、ユーザエクスペリエンスを著しく改善する。
【００７０】
第４の実施形態
【００７１】
図４は、本開示の実施形態による、支払情報処理装置４００の構造図である。図４に示されるように、装置４００は、ユーザインターフェースに関する事前設定された操作を検出するように構成されている検出モジュール４０２と、新しいウィンドウをユーザインターフェース上に表示するように構成されている第１の表示モジュール４０４であって、新しいウィンドウは１つ以上の支払アプリケーション識別子を含む、当該第１の表示モジュール４０４と、新しいウィンドウ内の支払アプリケーション識別子を選択またその選択を受信するように構成されている選択モジュール４０６と、ユーザインターフェース上に選択された支払アプリケーション識別子に対応する支払情報を表示するように構成されている第２の表示モジュール４０８とを含み得る。
【００７２】
実施態様では、装置４００は、さらに、ユーザインターフェース上の新しいウィンドウのトリガ位置領域を設定するように構成されている設定モジュール４１０を含み得る。実施態様では、検出モジュール４０２は、さらに、事前設定された操作のアクションに従って、トリガ位置領域上で行われる操作のアクションを検出し得、第１の表示モジュール４０４は、新しいウィンドウをユーザインターフェースの事前設定された位置に表示し得る。
【００７３】
実施態様では、事前設定された操作のアクションは、スライド操作、ダブルクリック操作、またはクリック操作を含み得る。
【００７４】
実施態様では、検出モジュール４０２は、さらに、ユーザインターフェースがロック解除されたかどうかを検出し得、第２の表示モジュール４０８は、さらに、ユーザインターフェースがロック解除状態であることを検出したことに応答して、ユーザインターフェース上の選択された支払アプリケーション識別子に対応する第１の支払情報を表示し得、または、ユーザインターフェースがロック状態であることを検出したことに応答して、ユーザインターフェース上の選択された支払アプリケーション識別子に対応する第２の支払情報を表示し得、第１の支払情報は有効な支払情報であり、第２の支払情報は無効な支払情報である。
【００７５】
実施態様では、装置４００はさらに、ユーザインターフェースがロック解除状態であることに応答して、選択された支払アプリケーション識別子に基づいて、選択された支払アプリケーション識別子が事前承認されたアプリケーション識別子リスト内に存在しているかどうかを判定するように構成されている判定モジュール４１２と、選択された支払アプリケーション識別子が事前承認されたアプリケーション識別子リスト内に存在していることを判定したことに応答して、第１の支払情報を、選択された支払アプリケーションから獲得するように構成されている獲得モジュール４１４とを含み得る。
【００７６】
実施態様では、第２の表示モジュール４０８は、獲得された第１の支払情報をユーザインターフェース上に表示し得る。
【００７７】
本装置４００は、さらに、新しいウィンドウの識別子を支払アプリケーション識別子に対応する支払アプリケーションに挿入するように構成されている挿入モジュール４１６を含み得る。
【００７８】
実施態様では、検出モジュール４０２は、ユーザインターフェース上に設定される新しいウィンドウのトリガ位置領域に関する事前設定された操作を検出すると、新しいウィンドウの識別子が支払アプリケーション識別子に対応する支払アプリケーションに挿入されたかどうかを検出し得る。
【００７９】
実施態様では、装置４００は、さらに、新しいウィンドウの識別子が支払アプリケーション識別子に対応する支払アプリケーションに挿入されたことを検出したことに応答して、支払アプリケーション識別子を新しいウィンドウに追加するように構成されている追加モジュール４１８を含み得る。
【００８０】
図４に示される装置は、図１、図２、及び図３Ａ〜図３Ｄに示されるような実施形態に説明される方法を行い得、それらの実施態様の原理及び技術的効果は、本明細書に繰り返して説明されない。
【００８１】
本開示は、さらに、図４に示される支払情報処理装置を含み得るユーザデバイスを提供し、図１、図２、及び図３Ａ〜図３Ｄに示されるような実施形態に説明される方法を行うことができ、それらの実施態様の原理及び技術的効果は、本明細書に繰り返して説明されない。
【００８２】
第５の実施形態
【００８３】
図５は、本開示の実施形態による、ユーザデバイス５００の構造図である。実施態様では、ユーザデバイス５００は、パーソナルコンピュータ、スマートフォン、パッド（タブレットコンピュータ）、２つの機能があるＰＣタブレット等を含み得る。典型的な構成では、コンピューティングデバイスは、１つ以上のプロセッサ（ＣＰＵ）、入出力インターフェース、ネットワークインターフェース、及びメモリを含む。
【００８４】
例として、及び限定的ではなく、ユーザデバイス５００は、ネットワーク／インターネット通信用の１つ以上のネットワークインターフェース５０２（有線ネットワークインターフェース、及び／または無線ネットワークインターフェース等）と、１つ以上の入出力（Ｉ／Ｏ）インターフェース５０４とを含み得る。実施態様では、図５に示されるように、ユーザデバイス５００は、さらに、メモリ５０６、１つ以上のプロセッサ５０８、１つ以上の通信バス５１０、及び他のハードウェア５１２を含み得る。
【００８５】
メモリ５０６は、例えば、非永久的ストレージデバイス、読取専用メモリ（ＲＯＭ）またはフラッシュＲＡＭ等のランダムアクセスメモリ（ＲＡＭ）及び／または不揮発性内部ストレージのようなコンピュータ可読媒体の形態を含み得る。メモリ５０６は、コンピュータ可読媒体の例である。
【００８６】
コンピュータ可読媒体は、永久的または非永久式の取り外し可能または取り外し可能ではない媒体を含み得、当該媒体は、任意の方法または技術を使用して情報の記憶を達成し得る。当該情報は、コンピュータ可読命令、データ構造、プログラムモジュール、または他のデータを含み得る。コンピュータストレージ媒体の例は、限定ではないが、相変化メモリ（ＰＲＡＭ）、静的ランダムアクセスメモリ（ＳＲＡＭ）、動的ランダムアクセスメモリ（ＤＲＡＭ）、他の種類のランダムアクセスメモリ（ＲＡＭ）、読取専用メモリ（ＲＯＭ）、電気的消却プログラム可能型読取専用メモリ（ＥＥＰＲＯＭ）、高速フラッシュメモリ、または他の内部ストレージ技術、コンパクトディスク読取専用メモリ（ＣＤ−ＲＯＭ）、デジタル多用途ディスク（ＤＶＤ）、または他の光学式ストレージ、磁気カセットテープ、磁気ディスクストレージもしくは他の磁気ストレージデバイス、または任意の他の非伝送媒体を含み、これらは、コンピューティングデバイスによってアクセスされ得る情報を記憶するために使用され得る。本明細書に定義されるように、コンピュータ可読媒体は、変調データ信号及び搬送波等の一過性媒体を含まない。
【００８７】
メモリ５０６は、１つ以上のプログラムモジュール５１４と、プログラムデータ５１６とを含み得る。実施態様では、１つ以上のプログラムモジュール５１４は、メモリ５０６内に記憶され、１つ以上のプロセッサ５０８によって制御される及び／または実行可能であるように構成されている。実施態様では、１つ以上のプログラムモジュール５１４は、ユーザインターフェースに関する事前設定された操作を検出することと、新しいウィンドウをユーザインターフェース上に表示することであって、新しいウィンドウは１つ以上の支払アプリケーション識別子を含む、当該表示することと、新しいウィンドウ内の支払アプリケーション識別子を選択することと、ユーザインターフェース上に選択された支払アプリケーション識別子に対応する支払情報を表示することとを含む動作を行う命令を実行し得る。実施態様では、１つ以上のプログラムモジュール５１４は、さらに、新しいウィンドウのトリガ位置領域をユーザインターフェース上に設定することと、事前設定された操作のアクションに従って、トリガ位置領域上で行われる操作のアクションを検出することと、新しいウィンドウをユーザインターフェースの事前設定された位置に表示することとを行う命令を実行し得る。
【００８８】
実施態様では、事前設定された操作のアクションは、スライド操作、ダブルクリック操作、またはクリック操作を含み得る。
【００８９】
実施態様では、１つ以上のプログラムモジュール５１４は、さらに、ユーザインターフェースがロック解除されたかどうかを検出することと、ロック解除されている場合、ユーザインターフェース上の選択された支払アプリケーション識別子に対応する第１の支払情報を表示すること、または、ロック解除されていない場合、ユーザインターフェース上の選択された支払アプリケーション識別子に対応する第２の支払情報を表示することとを行う命令を実行し得、第１の支払情報は有効な支払情報であり、第２の支払情報は無効な支払情報である。
【００９０】
実施態様では、１つ以上のプログラムモジュール５１４は、さらに、ユーザインターフェースがロック解除状態であることを検出すると、選択された支払アプリケーション識別子に基づいて、選択された支払アプリケーション識別子が事前承認されたアプリケーション識別子リスト内に存在していることを判定したことと、第１の支払情報を、選択された支払アプリケーションから獲得することと、第１の支払情報をユーザインターフェース上に表示することとを行う命令を実行し得る。
【００９１】
実施態様では、１つ以上のプログラムモジュール５１４は、さらに、新しいウィンドウの識別子を支払アプリケーション識別子に対応する支払アプリケーションに挿入する命令を実行し得る。
【００９２】
実施態様では、１つ以上のプログラムモジュール５１４は、さらに、ユーザインターフェース上に設定される新しいウィンドウのトリガ位置領域に関する事前設定された操作を受信したことに応答して、新しいウィンドウの識別子が支払アプリケーション識別子に対応する支払アプリケーションに挿入されたかどうかを検出することと、挿入されている場合、支払アプリケーション識別子を新しいウィンドウに追加することとを行う命令を実行し得る。
【００９３】
図５に示されるような１つ以上のモジュールは、さらに、図１、図２、及び図３Ａ〜図３Ｄに示されるような例示的方法の一部または全ての命令を実行し得ることを理解されたい。
【００９４】
本明細書及び「特許請求の範囲」の特定の専門用語は、具体的な構成要素を参照するために使用される。当業者は、ハードウェア製造業者が異なる名称で同じ構成要素を指定する場合があることを理解し得る。本明細書及び「特許請求の範囲」は、名称の違いによって、構成要素を区別しない。むしろ、構成要素の機能の差は、区別のベースとして使用される。例えば、本明細書及び「特許請求の範囲」の全体を通して言及される「含む（ｉｎｃｌｕｄｅ）」は、限定的でない用語であり、したがって、「限定ではないが、〜を含む（ｉｎｃｌｕｄｅ，ｂｕｔ  ｎｏｔ  ｌｉｍｉｔｅｄ  ｔｏ）」のように解釈されたい。「約（Ａｐｐｒｏｘｉｍａｔｅｌｙ）」は、「誤差の許容可能範囲内」にあることを意味する。当業者は、基本的に、技術的効果を達成するために、誤差範囲内で技術的問題を解決することができる。さらに、用語「連結（ｃｏｕｐｌｉｎｇ）」は、連結のいずれかの直接的な電気的手段及び間接的な電気的手段を含む。したがって、本文に第１の装置を第２の装置に結合することが説明される場合、これは、第１の装置が第２の装置に直接電気的に連結され得る、または別の装置もしくは結合部手段によって、第２の装置に間接的に電気的に連結され得ることを表す。例示的実施形態は、本開示を実施するための明細書に説明される。しかしながら、係る説明は、本開示の範囲を限定することよりはむしろ、本開示の一般的な原理を解説することを目的にしている。本開示の保護の範囲は、添付の「特許請求の範囲」によって定義されるものに影響を受けるはずである。
【００９５】
さらに、用語「含む（ｉｎｃｌｕｄｅ）」、「備える（ｃｏｍｐｒｉｓｅ）」、またはそれらの他の変形例は、非排除的な包含を対象とすることが意図され、これにより、一連の要素を含む製品またはシステムは、要素を含むだけではなく、明確に記載されない他の要素も含み、または、さらに、製品またはシステムの固有の要素を含むことに留意されたい。いずれかのさらなる制限がなく、「〜を含む（ｉｎｃｌｕｄｉｎｇ  ａ．．．）」によって定義される要素は、要素を含む製品またはシステム内に存在する他の同一要素を除外しない。
【００９６】
上記の説明は、本開示のいくつかの例示的実施形態を例証及び説明する。しかしながら、上記に説明されたように、本開示は、本文内で開示される形態に限定されないことを理解すべきであり、他の実施形態に対する除外として解釈するべきではない。むしろ、本開示は、様々な他の組み合わせ、修正、環境に適用可能であり得、関連技術の上記の教示または技術または知識によって、本明細書に説明される発明概念の範囲内で修正され得る。当業者によって行われる修正及び変更は、本開示の主旨及び範囲から離れたものではなく、添付の「特許請求の範囲」の保護の範囲内に全て収まるはずである。
【図１】
2019526088.tif 000003
【図２】
2019526088.tif 000004
【図３Ａ】
2019526088.tif 000005
【図３Ｂ】
2019526088.tif 000006
【図３Ｃ】
2019526088.tif 000007
【図３Ｄ】
2019526088.tif 000008
【図４】
2019526088.tif 000009
【図５】
2019526088.tif 000010
【国際調査報告】
2019526088.tif 000011